(57)【要約】【課題】  新たなメディアが挿入されたときに、それまで再生中のソースについて区切りの良い部分からソースの切り替えを行うことが可能な「ソース切替装置および方法」を提供する。【解決手段】  システムコントローラ２２は、メディアの挿入が検出されたときに、そのとき再生中のソースの再生区切り情報（曲の終わりを表すＴＯＣ情報）が検出されるまでは再生中のソースの再生を続行し、再生区切り情報が検出されたタイミングで次のメディアのソースに切り替えて再生を行うようにソース切替部１６を制御することにより、次に聴きたいソースのメディアをどのタイミングで挿入しても、再生中の曲の途中からではなく、区切りの良いところから次のソースに切り替えて再生を開始することができるようにする。【選択図】        図１
2005141883.tif 000002
【特許請求の範囲】
【請求項１】
複数のソースを再生可能な再生装置に適用され、あるソースの再生中に別のソースに切り替える際の制御を行うソース切替装置において、
上記再生装置に対する記録媒体の挿入を検出する挿入検出部と、
再生中のソースの再生区切り情報を検出する再生区切り検出部と、
上記挿入検出部により上記記録媒体の挿入が検出されたときに、上記再生区切り検出部により上記再生区切り情報が検出されるまでは上記再生中のソースの再生を続行し、上記再生区切り情報が検出されたタイミングで上記記録媒体のソースに切り替えて再生を行うように制御する再生切替制御部とを備えたことを特徴とするソース切替装置。
【請求項２】
複数のソースを再生可能な再生装置に適用され、あるソースの再生中に別のソースに切り替える際の制御を行うソース切替装置において、
上記再生装置に対する記録媒体の挿入を検出する挿入検出部と、
再生中のソースの再生終了情報を検出する再生終了検出部と、
上記挿入検出部により上記記録媒体の挿入が検出されたときに、上記再生終了検出部により上記再生終了情報が検出されるまでは上記再生中のソースの再生を続行し、上記再生終了情報が検出されたタイミングで上記記録媒体のソースに切り替えて再生を行うように制御する再生切替制御部とを備えたことを特徴とするソース切替装置。
【請求項３】
上記記録媒体が挿入されたときに直ちにソースの切り替えを行う第１のモード、上記再生区切り情報が検出されたタイミングでソースの切り替えを行う第２のモードの何れかのモード設定情報を記憶するモード情報記憶部を備え、
上記再生切替制御部は、上記モード情報記憶部に記憶されているモード設定情報に基づいて、ソースの切替タイミングを制御することを特徴とする請求項１に記載のソース切替装置。
【請求項４】
上記記録媒体が挿入されたときに直ちにソースの切り替えを行う第１のモード、上記再生終了情報が検出されたタイミングでソースの切り替えを行う第３のモードの何れかのモード設定情報を記憶するモード情報記憶部を備え、
上記再生切替制御部は、上記モード情報記憶部に記憶されているモード設定情報に基づいて、ソースの切替タイミングを制御することを特徴とする請求項２に記載のソース切替装置。
【請求項５】
上記挿入検出部により上記記録媒体の挿入が検出されたときに、上記再生中のソースに含まれる複数の再生単位を提示し、ユーザに任意の再生単位を選択させる選択部を備え、
上記再生切替制御部は、上記選択部により選択された再生単位の再生終了を表す上記再生区切り情報が上記再生区切り検出部により検出されるまでは上記再生中のソースの再生を続行し、上記再生区切り情報が検出されたタイミングで上記記録媒体のソースに切り替えて再生を行うように制御することを特徴とする請求項１に記載のソース切替装置。
【請求項６】
上記記録媒体が挿入されたときに直ちにソースの切り替えを行う第１のモード、上記選択部により選択された再生単位の再生終了を表す再生区切り情報が上記再生区切り検出部により検出されたタイミングでソースの切り替えを行う第４のモードの何れかのモード設定情報を記憶するモード情報記憶部を備え、
上記再生切替制御部は、上記モード情報記憶部に記憶されているモード設定情報に基づいて、ソースの切替タイミングを制御することを特徴とする請求項５に記載のソース切替装置。
【請求項７】
複数のソースを再生可能な再生装置に適用され、あるソースの再生中に別のソースに切り替える際の制御を行うソース切替方法において、
上記再生装置に対する記録媒体の挿入を検出する第１のステップと、
上記第１のステップで上記記録媒体の挿入が検出されたときに、再生中のソースの再生区切り情報を検出する第２のステップと、
上記第２のステップで上記再生区切り情報が検出されたときに、再生対象のソースを上記記録媒体のソースに切り替える第３のステップとを有することを特徴とするソース切替方法。
【請求項８】
上記第２のステップの代わりに、上記第１のステップで上記記録媒体の挿入が検出されたときに上記再生中のソースの再生終了情報を検出する第４のステップを有し、
上記第３のステップの代わりに、上記第４のステップで上記再生終了情報が検出されたときに再生対象のソースを上記記録媒体のソースに切り替える第５のステップを有することを特徴とする請求項７に記載のソース切替方法。
【請求項９】
上記記録媒体が挿入されたときに直ちにソースの切り替えを行う第１のモード、上記再生区切り情報が検出されたタイミングでソースの切り替えを行う第２のモードの何れかのモードを設定してモード設定情報をメモリに記憶しておくステップを上記第１のステップの前に有し、
上記メモリに上記第２のモードのモード設定情報が記憶されている場合は上記第２のステップおよび上記第３のステップの処理を行い、上記メモリに上記第１のモードのモード設定情報が記憶されている場合は、上記第１のステップで上記記録媒体の挿入が検出されたときに再生対象のソースを上記記録媒体のソースに切り替える処理を行うことを特徴とする請求項７に記載のソース切替方法。
【請求項１０】
上記記録媒体が挿入されたときに直ちにソースの切り替えを行う第１のモード、上記再生区切り情報が検出されたタイミングでソースの切り替えを行う第２のモードの何れかのモードを設定するステップを上記第１のステップの後に有し、
上記第２のモードが設定された場合は上記第２のステップおよび上記第３のステップの処理を行い、上記第１のモードが設定された場合は、再生対象のソースを上記記録媒体のソースに直ちに切り替える処理を行うことを特徴とする請求項７に記載のソース切替方法。
【請求項１１】
上記記録媒体が挿入されたときに直ちにソースの切り替えを行う第１のモード、上記再生終了情報が検出されたタイミングでソースの切り替えを行う第３のモードの何れかのモードを設定してモード設定情報をメモリに記憶しておくステップを上記第１のステップの前に有し、
上記メモリに上記第３のモードのモード設定情報が記憶されている場合は上記第４のステップおよび上記第５のステップの処理を行い、上記メモリに上記第１のモードのモード設定情報が記憶されている場合は、上記第１のステップで上記記録媒体の挿入が検出されたときに再生対象のソースを上記記録媒体のソースに切り替える処理を行うことを特徴とする請求項８に記載のソース切替方法。
【請求項１２】
上記記録媒体が挿入されたときに直ちにソースの切り替えを行う第１のモード、上記再生終了情報が検出されたタイミングでソースの切り替えを行う第３のモードの何れかのモードを設定するステップを上記第１のステップの後に有し、
上記第３のモードが設定された場合は上記第４のステップおよび上記第５のステップの処理を行い、上記第１のモードが設定された場合は再生対象のソースを上記記録媒体のソースに直ちに切り替える処理を行うことを特徴とする請求項８に記載のソース切替方法。
【請求項１３】
上記第１のステップで上記記録媒体の挿入が検出されたときに、上記再生中のソースに含まれる複数の再生単位を提示し、ユーザに任意の再生単位を選択させる第６のステップを有し、
上記第２のステップでは、上記第６のステップで選択された再生単位の再生終了を表す上記再生区切り情報を検出することを特徴とする請求項７に記載のソース切替方法。
【請求項１４】
上記記録媒体が挿入されたときに直ちにソースの切り替えを行う第１のモード、上記記録媒体が挿入されたときに再生中のソースに含まれる複数の再生単位を提示してユーザに任意の再生単位を選択させ、選択された再生単位の再生終了を表す再生区切り情報が検出されたタイミングでソースの切り替えを行う第４のモードの何れかのモードを設定してモード設定情報をメモリに記憶しておくステップを上記第１のステップの前に有し、
上記メモリに上記第４のモードのモード設定情報が記憶されている場合は上記第６のステップ、上記第２のステップおよび上記第３のステップの処理を行い、上記メモリに上記第１のモードのモード設定情報が記憶されている場合は、上記第１のステップで上記記録媒体の挿入が検出されたときに再生対象のソースを上記記録媒体のソースに切り替える処理を行うことを特徴とする請求項１３に記載のソース切替方法。
【請求項１５】
上記記録媒体が挿入されたときに直ちにソースの切り替えを行う第１のモード、上記記録媒体が挿入されたときに再生中のソースに含まれる複数の再生単位を提示してユーザに任意の再生単位を選択させ、選択された再生単位の再生終了を表す再生区切り情報が検出されたタイミングでソースの切り替えを行う第４のモードの何れかのモードを設定するステップを上記第１のステップの後に有し、
上記第４のモードが設定された場合は上記第６のステップ、上記第２のステップおよび上記第３のステップの処理を行い、上記第１のモードが設定された場合は再生対象のソースを上記記録媒体のソースに直ちに切り替える処理を行うことを特徴とする請求項１３に記載のソース切替方法。
【請求項１６】
複数のソースを再生可能な再生装置に適用され、あるソースの再生中に別のソースに切り替える際の制御を行うソース切替方法において、
上記再生装置に対して記録媒体が挿入されたときに直ちにソースの切り替えを行う第１のモード、上記記録媒体が挿入された後で次の再生区切り情報が検出されたタイミングでソースの切り替えを行う第２のモード、上記記録媒体が挿入された後で再生終了情報が検出されたタイミングでソースの切り替えを行う第３のモード、上記記録媒体が挿入されたときに再生中のソースに含まれる複数の再生単位を提示してユーザに任意の再生単位を選択させ、選択された再生単位の再生終了を表す再生区切り情報が検出されたタイミングでソースの切り替えを行う第４のモードの何れかのモードを設定してモード設定情報をメモリに記憶しておく第１のステップと、
上記再生装置に対する上記記録媒体の挿入を検出する第２のステップと、
上記メモリに上記第２のモードのモード設定情報が記憶されている場合に、上記第２のステップで上記記録媒体の挿入が検出された後で、再生中のソースについて次の再生区切り情報を検出する第３のステップと、
上記第３のステップで上記再生区切り情報が検出されたときに、再生対象のソースを上記記録媒体のソースに切り替える第４のステップと、
上記メモリに上記第３のモードのモード設定情報が記憶されている場合に、上記第２のステップで上記記録媒体の挿入が検出された後で上記再生中のソースの再生終了情報を検出する第５のステップと、
上記第５のステップで上記再生終了情報が検出されたときに再生対象のソースを上記記録媒体のソースに切り替える第６のステップと、
上記メモリに上記第４のモードのモード設定情報が記憶されている場合に、上記第２のステップで上記記録媒体の挿入が検出された後で上記再生中のソースに含まれる複数の再生単位を提示し、ユーザに任意の再生単位を選択させる第７のステップと、
上記第７のステップで選択された再生単位の再生終了を表す上記再生区切り情報を検出する第８のステップと、
上記第８のステップで上記再生区切り情報が検出されたときに、再生対象のソースを上記記録媒体のソースに切り替える第９のステップと、
上記メモリに上記第１のモードのモード設定情報が記憶されている場合に、上記第２のステップで上記記録媒体の挿入が検出されたときに再生対象のソースを上記記録媒体のソースに直ちに切り替える第１０のステップとを有することを特徴とするソース切替方法。
【請求項１７】
複数のソースを再生可能な再生装置に適用され、あるソースの再生中に別のソースに切り替える際の制御を行うソース切替方法において、
上記再生装置に対する記録媒体の挿入を検出する第１のステップと、
上記再生装置に対する上記記録媒体の挿入が検出されたときに、直ちにソースの切り替えを行う第１のモード、上記記録媒体が挿入された後で次の再生区切り情報が検出されたタイミングでソースの切り替えを行う第２のモード、上記記録媒体が挿入された後で再生終了情報が検出されたタイミングでソースの切り替えを行う第３のモード、上記記録媒体が挿入されたときに再生中のソースに含まれる複数の再生単位を提示してユーザに任意の再生単位を選択させ、選択された再生単位の再生終了を表す再生区切り情報が検出されたタイミングでソースの切り替えを行う第４のモードの何れかのモードを設定する第２のステップと、
上記第２のステップで上記第２のモードが設定された場合に、上記再生中のソースについて次の再生区切り情報を検出する第３のステップと、
上記第３のステップで上記再生区切り情報が検出されたときに、再生対象のソースを上記記録媒体のソースに切り替える第４のステップと、
上記第２のステップで上記第３のモードが設定された場合に、上記再生中のソースの再生終了情報を検出する第５のステップと、
上記第５のステップで上記再生終了情報が検出されたときに再生対象のソースを上記記録媒体のソースに切り替える第６のステップと、
上記第２のステップで上記第４のモードが設定された場合に、上記再生中のソースに含まれる複数の再生単位を提示し、ユーザに任意の再生単位を選択させる第７のステップと、
上記第７のステップで選択された再生単位の再生終了を表す上記再生区切り情報を検出する第８のステップと、
上記第８のステップで上記再生区切り情報が検出されたときに、再生対象のソースを上記記録媒体のソースに切り替える第９のステップと、
上記第２のステップで上記第１のモードが設定された場合に、上記第１のステップで上記記録媒体の挿入が検出されたときに再生対象のソースを上記記録媒体のソースに直ちに切り替える第１０のステップとを有することを特徴とするソース切替方法。
【発明の詳細な説明】
【技術分野】
【０００１】
本発明はソース切替装置および方法に関し、特に、複数のソースを再生可能な再生装置に適用され、あるソースの再生中に別のソースに切り替える際の制御を行う装置および方法に用いて好適なものである。
【背景技術】
【０００２】
ホームオーディオ装置、車載オーディオ装置等の再生装置の殆どは、ＣＤ（Compact Disc）プレーヤ、ＤＶＤ（Digital Versatile Disk）プレーヤ、ＭＤ（Mini Disc）プレーヤ、カセットデッキ、ラジオチューナ等の各種ソースの再生部を備えている。この種の再生装置では、ユーザが所望のソースに切り替えて音楽や映像の視聴を楽しむことができるようになっている。
【０００３】
多くの再生装置では、ソースの切り替えは、ソース切替スイッチの操作によって行われる。例えば、ＣＤの再生中にＭＤの再生に切り替えたいときは、再生装置のメディア挿入口にＭＤを挿入するとともに、ソース切替スイッチを操作してＣＤからＭＤの再生へとユーザが明示的に指示を出すことにより、再生ソースの切り替えを行うようになっている。
【０００４】
また、車載オーディオ装置に代表される再生装置の中には、メディアの挿入を検出して自動的にソースを切り替えることにより、使い勝手を良くするようになされたものも存在する（例えば、特許文献１参照）。この種の再生装置では、例えば、ＣＤの再生中にＭＤを新たに挿入すると、信号源であるソースがＣＤからＭＤへと切り替えられ、新たに挿入されたＭＤの再生が自動的に開始される。
【特許文献１】特開２０００−２６８４８１号公報
【０００５】
前者の手動切替型の再生装置では、ソースの切り替えをソース切替スイッチの操作により行う必要があるため、面倒である。一方、後者の自動切替型の再生装置では、新たにメディアを挿入すると、現在再生中の曲やアルバムが途中であっても、新たに挿入されたメディアに再生対象のソースが切り替わってしまう。そのため、今聴いている曲やアルバムを聴き続けたい場合には、タイミングを見計らって新たなメディアを挿入しなければならなかった。
【０００６】
しかしながら、車載オーディオ装置の場合、運転しながらメディアを挿入することは、その間視線が前方から離れることになるので好ましくない。よって、乗車時（運転開始前）、駐停車時などにメディアを挿入する必要がある。そのため、再生中の曲やアルバムが終了する適当なタイミングを見計らってメディアを挿入することができないという問題があった。
【０００７】
なお、ディスクの挿入口と排出口とを別に設け、あるディスクの再生中に別のディスクが新たに挿入されたときに、新たに挿入されたディスクを待機位置に待機させておいて、再生中のディスクの演奏終了を検出したときにディスクの切り替えを行い、再生停止したディスクを排出口から排出するようにした技術も提案されている（例えば、特許文献２参照）。
【特許文献２】特開２０００−３５７３５６号公報
【発明の開示】
【発明が解決しようとする課題】
【０００８】
本発明は、上述のような問題を解決するために成されたものであり、メディアの挿入を検出して自動的にソースの切り替えを行うタイプの再生装置において、次に聴きたいソースのメディアをどのタイミングで挿入しても、そのとき再生中の曲やアルバムの途中でソースが切り替わってしまうことなく、区切りの良いところからソースの切り替えを行うことができるようにすることを目的とする。
【課題を解決するための手段】
【０００９】
上記した課題を解決するために、本発明のソース切替装置では、再生装置に対する記録媒体の挿入が検出されたときに、そのとき再生中のソースの再生区切り情報または再生終了情報が検出されるまでは再生中のソースの再生を続行し、再生区切り情報または再生終了情報が検出されたタイミングで次の記録媒体のソースに切り替えて再生を行うように制御する。
【００１０】
本発明の他の態様では、記録媒体が挿入されたときに直ちにソースの切り替えを行う第１のモード、記録媒体が挿入された後で次の再生区切り情報が検出されたタイミングでソースの切り替えを行う第２のモード、記録媒体が挿入された後で再生終了情報が検出されたタイミングでソースの切り替えを行う第３のモード、記録媒体が挿入されたときに再生中のソースに含まれる複数の再生単位を提示してユーザに任意の再生単位を選択させ、選択された再生単位の再生終了を表す再生区切り情報が検出されたタイミングでソースの切り替えを行う第４のモードの何れかのモードに設定する手段を備える。
【発明の効果】
【００１１】
上記のように構成した本発明によれば、あるソースの再生中に、次に聴きたいソースの記録媒体を再生装置に新たに挿入すると、そのとき再生中のソースは再生区切りポイント（例えば再生中の曲の終了時点）または再生終了ポイント（例えば全曲の再生終了時点）まで再生が続行され、その後で、新たに挿入された記録媒体のソースへと切り替えが行われることとなる。したがって、次に聴きたいソースの記録媒体をどのタイミングで挿入しても、再生中の曲やアルバムの途中からではなく、区切りの良いところから次のソースに切り替えて再生を開始することができる。よってユーザは、適当なタイミングを考えずに新たな記録媒体を再生装置に挿入することが可能となる。また、モードの設定を可能に構成した場合には、新たに挿入する記録媒体へのソース切り替えをユーザの好みに合わせて行うことができる。
【発明を実施するための最良の形態】
【００１２】
（第１の実施形態）
以下、本発明の一実施形態を図面に基づいて説明する。図１は、本発明のソース切替装置を実施したオーディオ装置の構成例を示す図である。図１において、１１はラジオ受信用のアンテナ、１２はラジオ受信部であり、ラジオの放送信号を受信し、その検波信号を出力する。１３はＣＤプレーヤであり、ＣＤに記録された音楽情報を読み出してＣＤ信号を出力する。１４はＭＤプレーヤであり、ＭＤに記録された音楽情報を読み出してＭＤ信号を出力する。１５はＣＤチェンジャーであり、マガジンに収納された複数のディスクに記録された音楽情報を読み出してＣＤ信号を出力する。
【００１３】
１６はソース切替部であり、ラジオ受信部１２、ＣＤプレーヤ１３、ＭＤプレーヤ１４、ＣＤチェンジャー１５からの各ソース信号の切り替えを行う。１７はアンプであり、ソース切替部１６から出力されるソース信号を増幅する。１８はボリュームコントローラであり、アンプ１７で増幅されたソース信号の音量を調節する。１９はスピーカである。２０は操作部であり、ユーザがソース切替やボリューム調節等の各種操作を行うためのものである。２１は表示部であり、現在再生している曲のトラックや、受信しているラジオ局の周波数等を表示する。
【００１４】
２２はシステムコントローラであり、操作部２０からの指示を受けて、ソース切替部１６やボリュームコントローラ１８の制御等の処理を行う。このシステムコントローラ２２は、以下のような処理も行う。すなわち、ＣＤプレーヤ１３、ＭＤプレーヤ１４、ＣＤチェンジャー１５などの再生装置に対してメディア（ＣＤやＭＤ）が挿入されたか否かを検出する処理や、あるソースの再生中に、そのソースの再生区切り（例えば、曲の終了）を表す再生区切り情報を検出する処理を行う。ＣＤやＭＤの場合、再生区切り情報は、当該ＣＤやＭＤから再生されるＴＯＣ（Table of Contents）情報により提供される。また、デジタルのラジオ放送の場合は、放送局から曲データと共に送られてくる、曲の開始や終了を表す所定のフラグ情報によって再生区切り情報が提供される。
【００１５】
さらに、このシステムコントローラ２２は、ＣＤプレーヤ１３、ＭＤプレーヤ１４、ＣＤチェンジャー１５の何れかに対するメディアの挿入を検出したときに、新たに挿入されたメディアは再生待機状態としておき、それまで再生中であったソースについて再生区切り情報が検出されるまでは当該再生中のソースの再生を続行する。そして、再生区切り情報を検出したタイミングで、待機状態としておいた新たなメディアのソースに切り替えて再生を行うようにソース切替部１６を制御する。このように、システムコントローラ２２は、本発明の挿入検出部、再生区切り検出部、再生切替制御部を構成する。
【００１６】
２３はＲＯＭであり、ラジオ受信部１２、ＣＤプレーヤ１３、ＭＤプレーヤ１４、ＣＤチェンジャー１５を制御するためのプログラムが記憶されている。２４はＲＡＭであり、現在受信している放送局の周波数や、現在再生しているＣＤのトラック番号や経過時間等の情報を記憶する。２５はメモリコントローラであり、ＲＯＭ２３からのデータ読み出し、ＲＡＭ２４へのデータの書き込みや読み出しを制御する。
【００１７】
図２は、上述の操作部２０および表示部２１の構成例を示す図である。図２において、３０はオーディオ装置本体である。図２に示すように、操作部２０は、ボリューム調節の指示を行うボリュームノブ２０ａ、ソース切替の指示を行うソース切替キー２０ｂ、巻戻しを指示するリワインドキー２０ｃ、早送りを指示するフォワードキー２０ｄ、再生を指示する再生キー２０ｅ、再生の一時停止を指示する一時停止キー２０ｆ、ＣＤやＭＤの排出を指示するイジェクトキー２０ｇ、ラジオの選局キー２０ｈ等を有している。表示部２１には、例えば、現在選択しているソース名やトラック番号、再生の経過時間等が表示される。
【００１８】
図３は、新しいメディアの挿入時におけるソース切替の動作を示すフローチャートである。なお、このフローチャートの開始時点において、ラジオ受信部１２、ＣＤプレーヤ１３、ＭＤプレーヤ１４、ＣＤチェンジャー１５の何れかのソースが既に再生中であるとする。
【００１９】
図３において、まず、システムコントローラ２２は、オーディオ装置にメディアが挿入されたか否かを判定する（ステップＳ１）。何もメディアが挿入されていない場合には再生中のソースの再生処理をそのまま続行する。一方、何かメディアが挿入された場合には、その挿入されたメディアの再生をスタンバイ状態にする（ステップＳ２）。このとき、それまで再生中であったソースの再生処理は続行している。
【００２０】
その後、システムコントローラ２２は、再生中のソースについて再生区切り情報が検出されたか否かを判定する（ステップＳ３）。再生区切り情報が検出されない場合、システムコントローラ２２は、ユーザにより操作部２０のソース切替キー２０ｂが押下されたか否かを判定し（ステップＳ４）、この押下もされていなければ、ステップＳ３に戻って再生区切り情報の監視を続行する。
【００２１】
ステップＳ３で再生区切り情報が検出されると、システムコントローラ２２はソース切替部１６に指示を出して、それまで再生していたソースから、新たにメディアが挿入されたソースに切り替えを行い（ステップＳ５）、その再生を開始する（ステップＳ６）。また、テップＳ４でソース切替キー２０ｂの押下が検出された場合は、システムコントローラ２２はソース切替部１６に指示を出して、それまで再生していたソースから、ユーザにより指示されたソースに切り替えを行い（ステップＳ５）、その再生を開始する（ステップＳ６）。
【００２２】
なお、以上ではシステムコントローラ２２が再生区切り情報を検出したときにソースの切り替えを行っているが、この例に限定されない。例えば、再生中のソースの再生終了（例えば、ＣＤやＭＤの場合はアルバムの演奏終了、デジタルラジオ放送の場合は番組の終了）を表す再生終了情報を検出し、再生終了情報を検出したときにソースの切り替えを行うようにしても良い。ＣＤやＭＤの場合、再生終了情報は、当該ＣＤやＭＤから再生されるＴＯＣ情報により提供される。また、デジタルラジオ放送の場合は、放送局から放送データと共に送られてくる、番組の開始や終了を表す所定のフラグ情報によって再生終了情報が提供される。
【００２３】
この場合にシステムコントローラ２２は、本発明の再生終了検出部を構成する。また、新しいメディアの挿入時におけるソース切替の動作は図３とほぼ同様であり、ステップＳ３において再生区切り情報を検出する代わりに再生終了情報を検出すれば良い。
【００２４】
以上詳しく説明したように、本実施形態によれば、あるソースの再生中に、次に聴きたいソースのメディアをオーディオ装置に新たに挿入すると、そのとき再生中のソースは曲の終了時点または全曲の終了時点まで再生が続行され、その後で、新たに挿入されたメディアのソースへと切り替えが行われる。したがって、次に聴きたいソースのメディアをどのタイミングで挿入しても、区切りの良いところから次のソースに切り替えて再生を開始することができる。よってユーザは、タイミングを考えずに新たなメディアをオーディオ装置に挿入することが可能となる。
【００２５】
（第２の実施形態）
次に、本発明の第２の実施形態について説明する。第２の実施形態では、メディアの挿入が検出されたときに、再生中のソースに含まれる複数の再生単位である曲リストをユーザに提示し、ユーザに任意の曲を選択させるようにする。そして、ユーザにより選択された曲の再生終了を表す再生区切り情報が検出されたタイミングでソースの切り替えを行う。この場合にシステムコントローラ２２は、本発明の選択部を備え、曲リストを表示部２１に表示してユーザに選択を促す処理、操作部２０の操作に基づきユーザにより選択された曲の情報を受け付ける処理などを行う。
【００２６】
ここで提示する曲リストは、曲名のリストであっても良いし、曲の再生順番を表す数字のリストであっても良い。再生中のソースがＣＤやＭＤの場合、曲順リストはＴＯＣ情報から得ることができる。曲名リストは、ＣＤテキストのようにテキスト情報が含まれている媒体であれば、そのテキスト情報から得ることができる。テキスト情報が含まれていない場合は、例えばインターネットを介して図示しないサーバ装置にアクセスし、ＴＯＣ情報をもとにサーバ装置のデータベースを検索することによって曲名を取得することができる。この場合、図１のオーディオ装置には、インターネットを介してサーバ装置と通信を行う通信部が更に必要になる。一方、再生中のソースがデジタルラジオ放送の場合、曲名リストや曲順リストは、放送局から放送データと共に送られてくるテキスト情報等から得ることができる。
【００２７】
なお、ここでは曲リストを表示部２１に表示する例を挙げているが、必ずしも曲リストを表示する必要はない。例えば、操作部２０が備えるフォワードキー２０ｄあるいは図示しないテンキーなどを用いて、所望の曲番号を直接選択するようにしても良い。図２に示すように、ＣＤやＭＤの再生中にはトラック番号が表示されているので、そのトラック番号かそれ以降のトラック番号を指定してソースの切り替えタイミングを指示することが可能である。
【００２８】
図４は、ユーザがソースの切り替えタイミングを任意に指定できるようにした場合におけるソース切替の動作を示すフローチャートである。なお、このフローチャートの開始時点において、ラジオ受信部１２、ＣＤプレーヤ１３、ＭＤプレーヤ１４、ＣＤチェンジャー１５の何れかのソースが既に再生中であるとする。また、ここでは曲リストを表示する場合の例について説明する。
【００２９】
図４において、まず、システムコントローラ２２は、オーディオ装置にメディアが挿入されたか否かを判定する（ステップＳ１）。何もメディアが挿入されていない場合には再生中のソースの再生処理をそのまま続行する。一方、何かメディアが挿入された場合には、その挿入されたメディアの再生をスタンバイ状態にする（ステップＳ２）。このとき、それまで再生中であったソースの再生処理は続行している。
【００３０】
そして、システムコントローラ２２は、再生中のソースに関するＴＯＣ情報あるいはテキスト情報を利用して、再生中のソースに含まれる曲リストを表示部２１に表示する（ステップＳ１１）。このとき、再生中のソースに含まれる全曲のリストを表示しても良いが、既に再生が終了した曲を除き、未再生の残りの曲リストを表示するのが好ましい。システムコントローラ２２は、操作部２０の操作により何れかの曲が選択されたか否かを判定し（ステップＳ１２）、選択された場合にはその曲の情報（再生中のソースがＣＤやＭＤの場合はトラック番号、デジタルラジオ放送の場合は曲順あるいは曲名など）をＲＡＭ２４に記憶する（ステップＳ１３）。
【００３１】
その後、システムコントローラ２２は、再生中のソースについて、ＲＡＭ２４に格納された曲（トラック番号など）に関する再生区切り情報が検出されたか否かを判定する（ステップＳ３）。その再生区切り情報が検出されない場合、システムコントローラ２２は、ユーザにより操作部２０のソース切替キー２０ｂが押下されたか否かを判定し（ステップＳ４）、この押下もされていなければ、ステップＳ３に戻って再生区切り情報の監視を続行する。
【００３２】
ステップＳ３で、指定された曲の再生区切り情報が検出されると、システムコントローラ２２はソース切替部１６に指示を出し、それまで再生していたソースから、新たにメディアが挿入されたソースに切り替えを行い（ステップＳ５）、その再生を開始する（ステップＳ６）。また、テップＳ４でソース切替キー２０ｂの押下が検出された場合は、システムコントローラ２２はソース切替部１６に指示を出し、それまで再生していたソースから、ユーザにより指示されたソースに切り替えを行い（ステップＳ５）、その再生を開始する（ステップＳ６）。
【００３３】
以上詳しく説明したように、第２の実施形態によれば、あるソースの再生中に、次に聴きたいソースのメディアをオーディオ装置に挿入したときに、そのとき再生中のソースをどの曲まで聴いてから次のソースに切り替えるかをユーザが任意に指定することができる。
【００３４】
（第３の実施形態）
次に、本発明の第３の実施形態について説明する。第３の実施形態では、ソース切替のモードをユーザが任意に選択して設定できるようにする。ソース切替モードは、例えば、メディアが挿入されたときに直ちにソースの切り替えを行う第１のモード、メディアが挿入された後で次の再生区切り情報が検出されたタイミングでソースの切り替えを行う第２のモード、再生終了情報が検出されたタイミングでソースの切り替えを行う第３のモード、ユーザにより選択された曲の再生終了を表す再生区切り情報が検出されたタイミングでソースの切り替えを行う第４のモードの４つを用意する。
【００３５】
ソース切替モードの設定は、図２に示す操作部２０のモード選択キー２０ｉを操作して行う。操作部２０により設定されたモード設定情報は、例えばＲＡＭ２４に記憶される。図示しない不揮発性のメモリに記憶するようにしても良い。この場合、ＲＡＭ２４または図示しない不揮発性のメモリは、本発明のモード情報記憶部に相当する。システムコントローラ２２は、ＲＡＭ２４または図示しない不揮発性のメモリに記憶されているモード設定情報に基づいて、ソースの切替タイミングを制御する。
【００３６】
図５は、ユーザがソース切替モードを任意に指定できるようにした場合におけるソース切替の動作を示すフローチャートである。なお、このフローチャートの開始前に何れかのソース切替モードが既に設定されてモード設定情報がＲＡＭ２４に記憶されているものとする。また、このフローチャートの開始時点において、ラジオ受信部１２、ＣＤプレーヤ１３、ＭＤプレーヤ１４、ＣＤチェンジャー１５の何れかのソースが既に再生中であるとする。
【００３７】
図５において、まず、システムコントローラ２２は、オーディオ装置にメディアが挿入されたか否かを判定する（ステップＳ２１）。何もメディアが挿入されていない場合には再生中のソースの再生処理をそのまま続行する。一方、何かメディアが挿入された場合には、その挿入されたメディアの再生をスタンバイ状態にする（ステップＳ２２）。このとき、それまで再生中であったソースの再生処理は続行している。
【００３８】
そして、システムコントローラ２２はＲＡＭ２４を参照して、ソース切替モードが第１〜第４のモードの何れに設定されているかを判別する（ステップＳ２３）。ここで、第１のモードが設定されていると判定したときは、システムコントローラ２２はソース切替部１６に指示を出し、挿入されたメディアのソースに直ちに切り替えて（ステップＳ３３）、その再生を開始する（ステップＳ３４）。
【００３９】
一方、第２のモードが設定されていると判定したときは、システムコントローラ２２は、再生中のソースについて次の再生区切り情報が検出されたか否かを判定する（ステップＳ２４）。再生区切り情報がまだ検出されない場合、システムコントローラ２２は、ユーザにより操作部２０のソース切替キー２０ｂが押下されたか否かを判定し（ステップＳ２５）、この押下もされていなければ、ステップＳ２４に戻って次の再生区切り情報の監視を続行する。
【００４０】
ステップＳ２４で次の再生区切り情報が検出されると、システムコントローラ２２はソース切替部１６に指示を出し、それまで再生していたソースから、新たにメディアが挿入されたソースに切り替えを行い（ステップＳ３３）、その再生を開始する（ステップＳ３４）。また、テップＳ２５でソース切替キー２０ｂの押下が検出された場合は、システムコントローラ２２はソース切替部１６に指示を出し、それまで再生していたソースから、ユーザにより指示されたソースに切り替えを行い（ステップＳ３３）、その再生を開始する（ステップＳ３４）。
【００４１】
また、第３のモードが設定されていると判定したときは、システムコントローラ２２は、再生中のソースについて再生終了情報が検出されたか否かを判定する（ステップＳ２６）。再生終了情報がまだ検出されない場合、システムコントローラ２２は、ユーザにより操作部２０のソース切替キー２０ｂが押下されたか否かを判定し（ステップＳ２７）、この押下もされていなければ、ステップＳ２６に戻って再生終了情報の監視を続行する。
【００４２】
ステップＳ２６で再生終了情報が検出されると、システムコントローラ２２はソース切替部１６に指示を出し、それまで再生していたソースから、新たにメディアが挿入されたソースに切り替えを行い（ステップＳ３３）、その再生を開始する（ステップＳ３４）。また、テップＳ２７でソース切替キー２０ｂの押下が検出された場合は、システムコントローラ２２はソース切替部１６に指示を出し、それまで再生していたソースから、ユーザにより指示されたソースに切り替えを行い（ステップＳ３３）、その再生を開始する（ステップＳ３４）。
【００４３】
また、第４のモードが設定されていると判定したときは、システムコントローラ２２は、再生中のソースに関するＴＯＣ情報あるいはテキスト情報を利用して、再生中のメディアに含まれる曲リストを表示部２１に表示する（ステップＳ２８）。システムコントローラ２２は、操作部２０の操作により何れかの曲が選択されたか否かを判定し（ステップＳ２９）、選択された場合にはその曲の情報をＲＡＭ２４に記憶する（ステップＳ３０）。
【００４４】
その後、システムコントローラ２２は、再生中のソースについて、ＲＡＭ２４に格納された曲に関する再生区切り情報が検出されたか否かを判定する（ステップＳ３１）。その再生区切り情報が検出されない場合、システムコントローラ２２は、ユーザにより操作部２０のソース切替キー２０ｂが押下されたか否かを判定し（ステップＳ３２）、この押下もされていなければ、ステップＳ３１に戻って再生区切り情報の監視を続行する。
【００４５】
ステップＳ３１で、指定された曲の再生区切り情報が検出されると、システムコントローラ２２はソース切替部１６に指示を出して、それまで再生していたソースから、新たにメディアが挿入されたソースに切り替えを行い（ステップＳ３３）、その再生を開始する（ステップＳ３４）。また、テップＳ３２でソース切替キー２０ｂの押下が検出された場合は、システムコントローラ２２はソース切替部１６に指示を出して、それまで再生していたソースから、ユーザにより指示されたソースに切り替えを行い（ステップＳ３３）、その再生を開始する（ステップＳ３４）。
【００４６】
なお、以上ではソース切替モードの設定を事前に行っておく例について説明したが、ソース切替モードの設定をメディアの挿入後に行うようにしても良い。その場合の動作例を、図６のフローチャートに示す。このフローチャートの開始時点において、ラジオ受信部１２、ＣＤプレーヤ１３、ＭＤプレーヤ１４、ＣＤチェンジャー１５の何れかのソースが既に再生中であるとする。
【００４７】
図６において、まず、システムコントローラ２２は、オーディオ装置にメディアが挿入されたか否かを判定する（ステップＳ２１）。何もメディアが挿入されていない場合には再生中のソースの再生処理をそのまま続行する。一方、何かメディアが挿入された場合には、その挿入されたメディアの再生をスタンバイ状態にする（ステップＳ２２）。このとき、それまで再生中であったソースの再生処理は続行している。
【００４８】
そして、システムコントローラ２２は、所定のモード設定画面を表示部２１に表示することにより、ソース切替モードの設定をユーザに促す（ステップＳ４１）。これに応じてユーザが操作部２０を操作し、所望のソース切替モードを設定すると、システムコントローラ２２はメモリコントローラ２５を介してモード設定情報をＲＡＭ２４に格納する（ステップＳ４２）。
【００４９】
さらに、システムコントローラ２２はＲＡＭ２４を参照して、ソース切替モードが第１〜第４のモードの何れに設定されたかを判別する（ステップＳ２３）。ここで、第１のモードに設定されたと判定したときは、システムコントローラ２２はソース切替部１６に指示を出し、挿入されたメディアのソースに直ちに切り替えて（ステップＳ３３）、その再生を開始する（ステップＳ３４）。
【００５０】
また、第２のモードに設定されたと判定したときは、システムコントローラ２２は、再生中のソースについて次の再生区切り情報が検出されたか否かを判定する（ステップＳ２４）。再生区切り情報がまだ検出されない場合、システムコントローラ２２は、ユーザにより操作部２０のソース切替キー２０ｂが押下されたか否かを判定し（ステップＳ２５）、この押下もされていなければ、ステップＳ２４に戻って次の再生区切り情報の監視を続行する。
【００５１】
ステップＳ２４で次の再生区切り情報が検出されると、システムコントローラ２２はソース切替部１６に指示を出し、それまで再生していたソースから、新たにメディアが挿入されたソースに切り替えを行い（ステップＳ３３）、その再生を開始する（ステップＳ３４）。また、テップＳ２５でソース切替キー２０ｂの押下が検出された場合は、システムコントローラ２２はソース切替部１６に指示を出し、それまで再生していたソースから、ユーザにより指示されたソースに切り替えを行い（ステップＳ３３）、その再生を開始する（ステップＳ３４）。
【００５２】
また、第３のモードに設定されたと判定したときは、システムコントローラ２２は、再生中のソースについて再生終了情報が検出されたか否かを判定する（ステップＳ２６）。再生終了情報がまだ検出されない場合、システムコントローラ２２は、ユーザにより操作部２０のソース切替キー２０ｂが押下されたか否かを判定し（ステップＳ２７）、この押下もされていなければ、ステップＳ２６に戻って再生終了情報の監視を続行する。
【００５３】
ステップＳ２６で再生終了情報が検出されると、システムコントローラ２２はソース切替部１６に指示を出し、それまで再生していたソースから、新たにメディアが挿入されたソースに切り替えを行い（ステップＳ３３）、その再生を開始する（ステップＳ３４）。また、テップＳ２７でソース切替キー２０ｂの押下が検出された場合は、システムコントローラ２２はソース切替部１６に指示を出し、それまで再生していたソースから、ユーザにより指示されたソースに切り替えを行い（ステップＳ３３）、その再生を開始する（ステップＳ３４）。
【００５４】
また、第４のモードに設定されたと判定したときは、システムコントローラ２２は、再生中のソースに関するＴＯＣ情報あるいはテキスト情報を利用して、再生中のメディアに含まれる曲リストを表示部２１に表示する（ステップＳ２８）。システムコントローラ２２は、操作部２０の操作により何れかの曲が選択されたか否かを判定し（ステップＳ２９）、選択された場合にはその曲の情報をＲＡＭ２４に記憶する（ステップＳ３０）。
【００５５】
その後、システムコントローラ２２は、再生中のソースについて、ＲＡＭ２４に格納された曲に関する再生区切り情報が検出されたか否かを判定する（ステップＳ３１）。その再生区切り情報が検出されない場合、システムコントローラ２２は、ユーザにより操作部２０のソース切替キー２０ｂが押下されたか否かを判定し（ステップＳ３２）、この押下もされていなければ、ステップＳ３１に戻って再生区切り情報の監視を続行する。
【００５６】
ステップＳ３１で、指定された曲の再生区切り情報が検出されると、システムコントローラ２２はソース切替部１６に指示を出して、それまで再生していたソースから、新たにメディアが挿入されたソースに切り替えを行い（ステップＳ３３）、その再生を開始する（ステップＳ３４）。また、テップＳ３２でソース切替キー２０ｂの押下が検出された場合は、システムコントローラ２２はソース切替部１６に指示を出して、それまで再生していたソースから、ユーザにより指示されたソースに切り替えを行い（ステップＳ３３）、その再生を開始する（ステップＳ３４）。
【００５７】
以上詳しく説明したように、第３の実施形態によれば、あるソースの再生中に、次に聴きたいソースのメディアをオーディオ装置に挿入したときに、どのタイミングでソースの切り替えを行うかをユーザが任意に指定することができる。これにより、新たに挿入するメディアへのソース切り替えをユーザの好みに合わせて行うことができる。
【００５８】
なお、ここでは第１〜第４のモードの４つから何れかのモードを選択する例について説明したが、何れか２つまたは３つのモードから選択するようにしても良い。
【００５９】
また、上記第１〜第３の実施形態では、オーディオ再生メディアとしてＣＤ、ＭＤ、ラジオを例に挙げたが、これに限定されない。例えば、ＤＶＤ、ハードディスク、メモリカードなどでも良い。
【００６０】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００６１】
本発明のソース切替装置および方法は、複数のソースを再生可能であり、あるソースの再生中に新たなメディアが挿入されたときに自動的にソースの切り替えを行うタイプの再生装置に有用である。
【図面の簡単な説明】
【００６２】
【図１】本発明のソース切替装置を実施したオーディオ装置の構成例を示す図である。
【図２】操作部および表示部の構成例を示す図である。
【図３】第１の実施形態によるソース切替の動作を示すフローチャートである。
【図４】第２の実施形態によるソース切替の動作を示すフローチャートである。
【図５】第３の実施形態によるソース切替の動作を示すフローチャートである。
【図６】第３の実施形態によるソース切替の別動作を示すフローチャートである。
【符号の説明】
【００６３】
１２  ラジオ受信部
１３  ＣＤプレーヤ
１４  ＭＤプレーヤ
１５  ＣＤチェンジャー
１６  ソース切替部
２０  操作部
２１  表示部
２２  システムコントローラ
２３  ＲＯＭ
２４  ＲＡＭ
【図１】
2005141883.tif 000003
【図２】
2005141883.tif 000004
【図３】
2005141883.tif 000005
【図４】
2005141883.tif 000006
【図５】
2005141883.tif 000007
【図６】
2005141883.tif 000008